【手続補正書】
【提出日】平成28年3月8日(2016.3.8)
【手続補正１】
【補正対象書類名】特許請求の範囲
【補正対象項目名】全文
【補正方法】変更
【補正の内容】
【特許請求の範囲】
【請求項１】
置換又は非置換ポリアセチレンを含むポリマーを含む第１電極を形成すること；及び
第１電極と電気化学的に連絡する第２電極を含む構造を形成すること
を含み、
第１電極の形成は、置換又は非置換ポリアセチレンを含むポリマーを製造すること；ポリマーを圧延又はプレスしてフィルムを形成すること；及びフィルムを第１電極として使用すること、及び
ポリマーの製造は、置換又は非置換ポリアセチレンを砕いて細かい粉にすることを含む、
電気保存デバイスの製造方法。
【請求項２】
第１電極の形成は、フィルムを所望のサイズに切断することを更に含む、請求項１記載の方法。
【請求項３】
第１電極の形成は、粉をダイに入れることを更に含む、請求項２に記載の方法。
【請求項４】
第１電極の形成は、ダイで粉をプレスしてフィルムを形成することを含む、請求項３に記載の方法。
【請求項５】
第１電極の形成は、油圧又は水圧プレスを用いてダイでプレスしてフィルムを形成することを含む、請求項４に記載の方法。
【請求項６】
ポリマーの製造は、流体キャリア中で粉を混合して生地状の材料を形成することを含む、請求項２に記載の方法。
【請求項７】
流体キャリアは、ＰＴＦＥを含む、請求項６に記載の方法。
【請求項８】
流体キャリアは、ＰＴＦＥ及び水を含む、請求項６に記載の方法。
【請求項９】
第１電極の形成は、生地状の材料を圧延してフィルムを形成することを含む、請求項６に記載の方法。
【請求項１０】
ポリマーの製造は、バインダーと共に流体キャリア中で粉を混合して生地状材料を形成することを含む、請求項２に記載の方法。
【請求項１１】
第１電極の形成は、生地状材料を圧延してフィルムを形成することを含む、請求項１０に記載の方法。
【請求項１２】
ポリマーの製造は、溶媒中でアセチレンを重合することを含む、請求項２に記載の方法。
【請求項１３】
ポリマーの製造は、重合したアセチレンを液体中に懸濁することを更に含む、請求項１２に記載の方法。
【請求項１４】
ポリマーの製造は、重合したアセチレンを液体からろ過することを更に含む、請求項１３に記載の方法。
【請求項１５】
第１電極と電気化学的に連絡する第２電極を含む構造を形成することは、第１電極と第２電極との間に電解質を加えることを含む、請求項１に記載の方法。
【請求項１６】
電解質は、液体の形態である、請求項１に記載の方法。
【手続補正２】
【補正対象書類名】明細書
【補正対象項目名】００７９
【補正方法】変更
【補正の内容】
【００７９】
いくつかの態様、いくつかの要旨を説明したが、当業者であれば、種々の変更、修正、改良が容易に生じることが、理解できるであろう。そのような変更、修正及び改良は、本開示の一部であることが意図されており、本発明の精神及び範囲内にあることが意図される。従って、上述の説明及び図面は例示のみを目的とするものである。
本明細書に含まれる主な態様を以下に示す。
１．置換又は非置換ポリアセチレンを含むポリマーを含む第１電極；
第１電極と電気化学的に連絡する第２電極；
第１電極と第２電極の間に配置される多孔質セパレータ材料；及び
第１電極及び第２電極と電気化学的に連絡する電解質
を含む、電気エネルギー保存デバイス。
２．電解質は、実質的に金属含有種を有さない、上記１に記載の電気エネルギー保存デバイス。
３．置換又は非置換ポリアセチレンを含むポリマーは、流体キャリアの存在下、合成される、上記１又は２に記載の電気エネルギー保存デバイス。
４．置換又は非置換ポリアセチレンを含むポリマーは、フィルムに成形される、上記３に記載の電気エネルギー保存デバイス。
５．第１電極は、約０．０１ｍｍ〜約１ｍｍの範囲の厚さを有する活性層を含む、上記２に記載の電気エネルギー保存デバイス。
６．電解質は、実質的に、リチウム含有種又はリチウムイオン含有種を有さない、上記１〜５のいずれかに記載の電気エネルギー保存デバイス。
７．電解質は、液体の形態である、上記１〜６のいずれかに記載の電気エネルギー保存デバイス。
８．電解質は、イオン液体である、上記１〜７のいずれかに記載の電気エネルギー保存デバイス。
９．電解質は、エチレンカーボネート溶液又はプロピレンカーボネート溶液であり、溶液は、式［（Ｒ）４Ｎ＋］［Ｘ−］を有する塩を含み、Ｘは、（ＰＦ６）−、（ＢＦ４）−、（ＳＯ３Ｒａ）−、（ＲａＳＯ２−Ｎ−ＳＯ２Ｒａ）、ＣＦ３ＣＯ２−、（ＣＦ３）３ＣＯ−、又は（ＣＦ３）２ＣＨＯ）−であり、Ｒは、アルキルであり、Ｒａは、アルキル、アリール、フッ素化アルキル、又はフッ素化アリールである、上記１〜８のいずれかに記載の電気エネルギー保存デバイス。
１０．置換又は非置換ポリアセチレンポリマーは、ｎ−型材料として配置される、上記１〜９のいずれかに記載の電気エネルギー保存デバイス。
１１．置換又は非置換ポリアセチレンポリマーは、ｐ−型材料として配置される、上記１〜９のいずれかに記載の電気エネルギー保存デバイス。
１２．第１電極は、カソードであり、第２電極は、アノードである、上記１〜１１のいずれかに記載の電気エネルギー保存デバイス。
１３．第２電極は、置換又は非置換ポリアセチレンを含むポリマーを含む、上記１〜１２のいずれかに記載の電気エネルギー保存デバイス。
１４．第２電極は、導電性材料と置換又は非置換ポリアセチレンを含むポリマーを含む、上記１〜１３のいずれかに記載の電気エネルギー保存デバイス。
１５．第２電極は、導電性材料と置換又は非置換ポリアセチレンを含むポリマーを含む複合材料を含む、上記１〜１４のいずれかに記載の電気エネルギー保存デバイス。
１６．導電性材料は、炭素系材料を含む、上記１〜１５のいずれかに記載の電気エネルギー保存デバイス。
１７．炭素系材料は、カーボン、活性炭、グラファイト、グラフェン、又はカーボンナノチューブを含む、上記１６に記載の電気エネルギー保存デバイス。
１８．導電性材料は、導電性ポリマーを含む、上記１〜１７のいずれかに記載の電気エネルギー保存デバイス。
１９．ポリマーは、置換又は非置換ポリアセチレンである、上記１〜１８のいずれかに記載の電気エネルギー保存デバイス。
２０．ポリマーは、ポリアセチレンを含むコポリマーである、上記１〜１９のいずれかに記載の電気エネルギー保存デバイス。
２１．ポリマーは、下記構造：
【化６】
2015518278.tif 000001
［ここで、Ｒ１、Ｒ２、Ｒ３及びＲ４は、同じでも異なっていてもよく、各々は、Ｈ、アルキル、ヘテロアルキル、アリール、ヘテロアリール、ヘテロサイクリル、ハロ、シアノ、スルホニル、サルフェート、ホスホニル、ホスフェート、又はカルボニル基であり、そのいずれかは場合により置換されていてよく；及びｍとｎは、各々１より大きい］
を含む、上記１〜２０のいずれかに記載の電気エネルギー保存デバイス。
２２．Ｒ１、Ｒ２、Ｒ３及びＲ４は、各々Ｈである、上記１９に記載の電気エネルギー保存デバイス。
２３．Ｒ１、Ｒ２、Ｒ３及びＲ４の少なくとも１は、フッ素である、上記１９に記載の電気エネルギー保存デバイス。
２４．ポリマーは、下記構造：
【化７】
2015518278.tif 000002
［ここで、ｍとｎは、１より大きい］
を含む、上記１〜２３のいずれかに記載の電気エネルギー保存デバイス。
２５．ポリマーは、下記構造：
【化８】
2015518278.tif 000003
［ここで、Ｒ１、Ｒ２、Ｒ３及びＲ４は、同じでも異なっていてもよく、各々は、Ｈ、アルキル、アリール、ハロ、シアノ、スルホニル、サルフェート、ホスホニル、ホスフェート、又はカルボニル基であり、そのいずれかは場合により置換されていてよく；及びｍ、ｍ’、ｎ及びｎ’は、各々１より大きい］
を含む、上記１〜２４のいずれかに記載の電気エネルギー保存デバイス。
２６．ポリマーは、下記構造：
【化９】
2015518278.tif 000004
［ここで、Ｒ１、Ｒ２、Ｒ３及びＲ４は、同じでも異なっていてもよく、各々は、Ｈ、アルキル、アリール、ハロ、シアノ、スルホニル、サルフェート、ホスホニル、ホスフェート、又はカルボニル基であり、そのいずれかは場合により置換されていてよく；及びｍ、ｍ’、ｎ、ｎ’及びｏは、各々１より大きい］
を含む、上記１〜２５のいずれかに記載の電気エネルギー保存デバイス。
２７．ｍ、ｍ’、ｎ、ｎ’及びｏは、同じでも異なっていてもよく、約２と約１０，０００の間の、又は約１０と約１０，０００の間の、又は約１００と約１０，０００の間の、又は約１００と約１，０００の間の、整数である、上記１〜２６のいずれかに記載の電気エネルギー保存デバイス。
２８．ポリマーは、約５００と約１，０００，０００の間の、又は約５００と約１００，０００の間の、又は約１０，０００と約１００，０００の間の分子量を有する、上記１〜２７のいずれかに記載の電気エネルギー保存デバイス。
２９．ポリマーは、複合材料の成分として配置される、上記１〜２８のいずれかに記載の電気エネルギー保存デバイス。
３０．複合材料は、カーボンナノチューブ、活性炭又は金属酸化物を更に含む、上記２９に記載の電気エネルギー保存デバイス。
３１．第１電極は、ポリマーと物理的に接触する電荷収集材料を更に含む、上記１〜３０のいずれかに記載の電気エネルギー保存デバイス。
３２．第２電極は、導電性材料と物理的に接触する電荷収集材料と導電性材料を含む、上記１〜３１のいずれかに記載の電気エネルギー保存デバイス。
３３．導電性材料は、導電性ポリマー及び／又は炭素系材料を含む、上記１〜３２のいずれかに記載の電気エネルギー保存デバイス。
３４．炭素系材料は、カーボン、活性炭、グラファイト、グラフェン、又はカーボンナノチューブを含む、上記３３に記載の電気エネルギー保存デバイス。
３５．電荷収集材料は、金属又は炭素系材料を含む、上記１〜３４のいずれかに記載の電気エネルギー保存デバイス。
３６．電荷収集材料は、アルミニウムを含む、上記１〜３５のいずれかに記載の電気エネルギー保存デバイス。
３７．電荷収集材料は、ガラス状炭素を含む、上記１〜３６のいずれかに記載の電気エネルギー保存デバイス。
３８．電荷収集材料は、ポリアセチレンを含む、上記１〜３７のいずれかに記載の電気エネルギー保存デバイス。
３９．多孔質セパレータ材料は、紙である、上記１〜３８のいずれかに記載の電気エネルギー保存デバイス。
４０．多孔質セパレータ材料は、ポリマーを含む、上記１〜３９のいずれかに記載の電気エネルギー保存デバイス。
４１．多孔質セパレータ材料は、ポリプロピレン、ポリエチレン、セルロース、ポリアリールエーテル又はフルオロポリマーを含む、上記１〜４０のいずれかに記載の電気エネルギー保存デバイス。
４２．デバイスは、約５０Ｆａｒａｄ／ｇの電荷容量を有する、上記１〜４１のいずれかに記載の電気エネルギー保存デバイス。
４３．デバイスは、約１００Ｆａｒａｄ／ｇの電荷容量を有する、上記１〜４２のいずれかに記載の電気エネルギー保存デバイス。
４４．デバイスは、約１５０Ｆａｒａｄ／ｇの電荷容量を有する、上記１〜４３のいずれかに記載の電気エネルギー保存デバイス。
４５．デバイスは、約２００Ｆａｒａｄ／ｇの電荷容量を有する、上記１〜４４のいずれかに記載の電気エネルギー保存デバイス。
４６．デバイスは、約２２０Ｆａｒａｄ／ｇの電荷容量を有する、上記１〜４５のいずれかに記載の電気エネルギー保存デバイス。
４７．デバイスは、約３００Ｆａｒａｄ／ｇの電荷容量を有する、上記１〜４６のいずれかに記載の電気エネルギー保存デバイス。
４８．デバイスは、約４００Ｆａｒａｄ／ｇの電荷容量を有する、上記１〜４７のいずれかに記載の電気エネルギー保存デバイス。
４９．デバイスは、約５００Ｆａｒａｄ／ｇの電荷容量を有する、上記１〜４８のいずれかに記載の電気エネルギー保存デバイス。
５０．デバイスは、約５０ｋＪ／ｋｇの電気エネルギーを保存する、上記１〜４９のいずれかに記載の電気エネルギー保存デバイス。
５１．デバイスは、約１００ｋＪ／ｋｇの電気エネルギーを保存する、上記１〜５０のいずれかに記載の電気エネルギー保存デバイス。
５２．デバイスは、約２００ｋＪ／ｋｇの電気エネルギーを保存する、上記１〜５１のいずれかに記載の電気エネルギー保存デバイス。
５３．デバイスは、約３００ｋＪ／ｋｇの電気エネルギーを保存する、上記１〜５２のいずれかに記載の電気エネルギー保存デバイス。
５４．デバイスは、約４００ｋＪ／ｋｇの電気エネルギーを保存する、上記１〜５３のいずれかに記載の電気エネルギー保存デバイス。
５５．デバイスは、約５００ｋＪ／ｋｇの電気エネルギーを保存する、上記１〜５４のいずれかに記載の電気エネルギー保存デバイス。
５６．デバイスは、約６００ｋＪ／ｋｇの電気エネルギーを保存する、上記１〜５５のいずれかに記載の電気エネルギー保存デバイス。
５７．デバイスは、約１．５Ｖに充電される、上記１〜５６のいずれかに記載の電気エネルギー保存デバイス。
５８．デバイスは、約２．０Ｖに充電される、上記１〜５７のいずれかに記載の電気エネルギー保存デバイス。
５９．デバイスは、約２．５Ｖに充電される、上記１〜５８のいずれかに記載の電気エネルギー保存デバイス。
６０．デバイスは、約２．７Ｖに充電される、上記１〜５９のいずれかに記載の電気エネルギー保存デバイス。
６１．デバイスは、約３．０Ｖに充電される、上記１〜６０のいずれかに記載の電気エネルギー保存デバイス。
６２．デバイスは、約３．５Ｖに充電される、上記１〜６１のいずれかに記載の電気エネルギー保存デバイス。
６３．デバイスは、約１００ｋＪ／ｋｇの比エネルギー密度を有する、上記１〜６２のいずれかに記載の電気エネルギー保存デバイス。
６４．デバイスは、約２００ｋＪ／ｋｇの比エネルギー密度を有する、上記１〜６３のいずれかに記載の電気エネルギー保存デバイス。
６５．デバイスは、約３００ｋＪ／ｋｇの比エネルギー密度を有する、上記１〜６４のいずれかに記載の電気エネルギー保存デバイス。
６６．デバイスは、約４００ｋＪ／ｋｇの比エネルギー密度を有する、上記１〜６５のいずれかに記載の電気エネルギー保存デバイス。
６７．デバイスは、約５００ｋＪ／ｋｇの比エネルギー密度を有する、上記１〜６６のいずれかに記載の電気エネルギー保存デバイス。
６８．デバイスは、約６００ｋＪ／ｋｇの比エネルギー密度を有する、上記１〜６７のいずれかに記載の電気エネルギー保存デバイス。
６９．置換又は非置換ポリアセチレンを含むポリマーは、置換又は非置換ポリアセチレンを含むポリマーと相違する少なくとも一種のポリマーとのブレンドで供給される、上記１〜６８のいずれかに記載の電気エネルギー保存デバイス。
７０．置換又は非置換ポリアセチレンを含むポリマーは、少なくとも一種の導電性ポリマーとのブレンドで供給される、上記１〜６９のいずれかに記載の電気エネルギー保存デバイス。
７１．少なくとも一種の導電性ポリマーは、ポリアニリン、ポリフェニレン、ポリアリーレン、ポリ（ビスチオフェンフェニレン）、ラダーポリマー、ポリ（アリーレンビニレン）、又はポリ（アリーレンエチニレン）、場合により置換されたそれらのいずれかである、上記１〜７０のいずれかに記載の電気エネルギー保存デバイス。
７２．導電性ポリマーは、場合により置換されたポリチオフェン又はポリマーであり、ポリマーはアルケン又は芳香族基によって結合されたチオフェン単位を含む、上記１〜７１のいずれかに記載の電気エネルギー保存デバイス。
７３．導電性ポリマーは、場合により置換されたポリピロール又はポリマーであり、ポリマーはアルケン又は芳香族基によって結合されたピロール単位を含む、上記１〜７２のいずれかに記載の電気エネルギー保存デバイス。
７４．基材の表面に置換又は非置換ポリアセチレンを含むポリマーを含む導電性材料を形成することを含む、電気エネルギー保存デバイスの製造方法。
７５．形成ステップは、流体キャリアと置換又は非置換ポリアセチレンを含む混合物から、置換又は非置換ポリアセチレンを含むポリマーを含むフィルムを形成することを含む、上記７４に記載の方法。
７６．導電性材料は、置換又は非置換ポリアセチレンを含む粉である、上記７４又は７５に記載の方法。
７７．粉は、バインディングポリマー、金属塩、金属酸化物、又はそれらの組み合わせを更に含む、上記７４〜７６のいずれかに記載の方法。
７８．粉は、置換又は非置換ポリアセチレンを含む架橋ポリマー粒子を含む、上記７４〜７７のいずれかに記載の方法。
７９．形成ステップの前に、パウダーを、高圧又は溶媒を用いる処理に曝される、上記７４〜７８のいずれかに記載の方法。
８０．基材は、ポリマー材料、炭素系材料又は無機材料を含む、上記７４〜７９のいずれかに記載の方法。
８１．炭素系材料は、グラフェン、グラファイト、炭素又は活性炭又はナノチューブである、上記７４〜８０のいずれかに記載の方法。
８２．導電性材料と接触するセパレータ材料を配置することを更に含む、上記７４〜８１のいずれかに記載の方法。
８３．基材の表面に置換又は非置換ポリアセチレンを含むポリマーを含む第１導電性材料を形成すること；
第１導電性材料と接触するセパレータ材料の第１表面を配置すること；及び
セパレータ材料の第２の反対の側と接触する第２導電性材料を配置して、第１導電性材料は、第２導電性材料と電気化学的に連絡するようにすること
を更に含む、上記７４〜８２のいずれかに記載の方法。
８４．形成ステップは、流体キャリアと置換又は非置換ポリアセチレンを含む混合物から置換又は非置換ポリアセチレンを含むポリマーを含むフィルムを形成することを含む、上記８３に記載の方法。
８５．セパレータ材料は、ポリプロピレン、ポリエチレン、セルロース、ポリアリールエーテル又はフルオロポリマーを含む、上記７４〜８４のいずれかに記載の方法。
８６．第１及び第２導電性材料と接触する電解質を配置することを更に含む、上記７４〜８５のいずれかに記載の方法。
８７．電解質は、液体の形態である、上記７４〜８６のいずれかに記載の方法。
８８．電解質は、イオン液体である、上記７４〜８７のいずれかに記載の方法。
８９．電解質は、エチレンカーボネート溶液又はプロピレンカーボネート溶液であり、溶液は、式［（Ｒ）４Ｎ＋］［Ｘ−］を有する塩を含み、Ｘは、（ＰＦ６）−、（ＢＦ４）−、（ＳＯ３Ｒａ）−、（ＲａＳＯ２−Ｎ−ＳＯ２Ｒａ）、ＣＦ３ＣＯ２−、（ＣＦ３）３ＣＯ−、又は（ＣＦ３）２ＣＨＯ）−であり、Ｒは、アルキルであり、Ｒａは、アルキル、アリール、フッ素化アルキル、又はフッ素化アリールである、上記７４〜８８のいずれかに記載の方法。
９０．重合ステップの前、間又は後で、置換又は非置換ポリアセチレンを含むポリマーを安定化剤で処理することを更に含む、上記７４〜８９のいずれかに記載の方法。
９１．安定化剤は、ラジカルスカベンジャーである、上記７４〜９０のいずれかに記載の方法。
９２．安定化剤は、ジクロロケテン、芳香族ジアゾニウム塩、ジスルフィド、塩化硫黄、有機塩化硫黄、金属塩、金属酸化物、水素化ケイ素、一又はそれ以上の水素化ケイ素基を含む種、又はフェノールを含む、上記７４〜９１のいずれかに記載の方法。
９３．一又はそれ以上のモノマー種を重合して、置換又は非置換ポリアセチレンを含むポリマーを製造することを更に含む、上記７４〜９２のいずれかに記載の方法。
９４．流体キャリアの存在下、モノマー種を重合する、上記９３に記載の方法。
９５．添加剤の存在下、モノマー種を重合する、上記７４〜９４のいずれかに記載の方法。
９６．得られるポリマー材料にわたって添加剤を分散させる、上記７４〜９５のいずれかに記載の方法。
９７．重合後に少なくともいくらかの添加剤を除去して、多孔質ポリマー材料を製造する、上記７４〜９６のいずれかに記載の方法。
９８．添加剤を、熱を用いる処理又は溶剤を用いる処理によって除去する、上記７４〜９７のいずれかに記載の方法。
９９．相分離ポリマーの存在下、モノマー種を重合する、上記７４〜９８のいずれかに記載の方法。
１００．重合後、相分離ポリマーを除去して、多孔質ポリマーを提供する、上記７４〜９９のいずれかに記載の方法。
１０１．触媒粒子の存在下、モノマー種を重合する、上記７４〜１００のいずれかに記載の方法。
１０２．触媒粒子は、アエロゾル発生触媒粒子である、上記７４〜１０１のいずれかに記載の方法。
１０３．重合ステップは、凝集相内に溶けたモノマー又は気相モノマーの直接反応を伴う連続法である、上記７４〜１０２のいずれかに記載の方法。
１０４．置換又は非置換ポリアセチレンを含むポリマーを含むデバイスに電界を印加することを含む、電気エネルギーの保存方法。
１０５．デバイスは、上記１〜７３のいずれかに記載のエネルギー保存デバイスである、上記１０４に記載の方法。
１０６．ポリマーは、上記１〜１０５のいずれかに記載の構造を有する、上記１０４に記載の方法。
１０７．デバイスは、少なくとも５０Ｆａｒａｄ／ｇの電荷容量を有する、上記１０４〜１０６のいずれかに記載の方法。
１０８．デバイスは、少なくとも１００Ｆａｒａｄ／ｇの電荷容量を有する、上記１０４〜１０７のいずれかに記載の方法。
１０９．デバイスは、少なくとも１５０Ｆａｒａｄ／ｇの電荷容量を有する、上記１０４〜１０８のいずれかに記載の方法。
１１０．デバイスは、少なくとも２００Ｆａｒａｄ／ｇの電荷容量を有する、上記１０４〜１０９のいずれかに記載の方法。
１１１．デバイスは、少なくとも２２０Ｆａｒａｄ／ｇの電荷容量を有する、上記１０４〜１１０のいずれかに記載の方法。
１１２．デバイスは、少なくとも３００Ｆａｒａｄ／ｇの電荷容量を有する、上記１０４〜１１１のいずれかに記載の方法。
１１３．デバイスは、少なくとも４００Ｆａｒａｄ／ｇの電荷容量を有する、上記１０４〜１１２のいずれかに記載の方法。
１１４．デバイスは、少なくとも５００Ｆａｒａｄ／ｇの電荷容量を有する、上記１０４〜１１３のいずれかに記載の方法。
１１５．デバイスは、少なくとも５０ｋＪ／ｋｇの電気エネルギーを保存する、上記１０４〜１１４のいずれかに記載の方法。
１１６．デバイスは、少なくとも１００ｋＪ／ｋｇの電気エネルギーを保存する、上記１０４〜１１５のいずれかに記載の方法。
１１７．デバイスは、少なくとも２００ｋＪ／ｋｇの電気エネルギーを保存する、上記１０４〜１１６のいずれかに記載の方法。
１１８．デバイスは、少なくとも３００ｋＪ／ｋｇの電気エネルギーを保存する、上記１０４〜１１７のいずれかに記載の方法。
１１９．デバイスは、少なくとも４００ｋＪ／ｋｇの電気エネルギーを保存する、上記１０４〜１１８のいずれかに記載の方法。
１２０．デバイスは、少なくとも５００ｋＪ／ｋｇの電気エネルギーを保存する、上記１０４〜１１９のいずれかに記載の方法。
１２１．デバイスは、少なくとも６００ｋＪ／ｋｇの電気エネルギーを保存する、上記１０４〜１２０のいずれかに記載の方法。
１２２．デバイスは、少なくとも１．５Ｖに充電される、上記１０４〜１２１のいずれかに記載の方法。
１２３．デバイスは、少なくとも２．０Ｖに充電される、上記１０４〜１２２のいずれかに記載の方法。
１２４．デバイスは、少なくとも２．５Ｖに充電される、上記１０４〜１２３のいずれかに記載の方法。
１２５．デバイスは、少なくとも２．７Ｖに充電される、上記１０４〜１２４のいずれかに記載の方法。
１２６．デバイスは、少なくとも３．０Ｖに充電される、上記１０４〜１２５のいずれかに記載の方法。
１２７．デバイスは、少なくとも３．５Ｖに充電される、上記１０４〜１２６のいずれかに記載の方法。
１２８．セパレータ材料は、多孔質セパレータ材料である、上記１０４〜１２７のいずれかに記載の方法。